(57)【要約】【課題】採暖用発熱部への通電による雑音発生を抑制した便座暖房を実現する。【解決手段】対で設置されたランプヒータ１、２とそれぞれに電流を供給する電流供給線３、４を、ランプヒータ１と対になるランプヒータ２への電流供給線４、ランプヒータ２と対になるランプヒータ１への電流供給線３のように互いに近接する電流路の電流の流れる方向が逆になるように設置し、電流によって発生する磁界が互いに打ち消しあうことにより、漏洩磁界による発生ノイズを低減するものである。【選択図】図１
2005253565.tif 000002
【特許請求の範囲】
【請求項１】
空洞部を有する便座本体と、前記便座本体に熱エネルギーを供給する一対または複数対のランプヒータを前記空洞部に設置し、前記対となるランプヒータへのそれぞれの電流供給線を互いに近接させて設け、互いの供給線を流れる電流の方向を、電流が作り出す磁界を打ち消しあう方向とした暖房便座。
【請求項２】
電流供給線は分岐部を備え、前記分岐部は対となるランプヒータの発熱部を包み込むように配設した請求項１記載の暖房便座。
【請求項３】
電流供給線は、絶縁ガイシで覆った請求項１または２記載の暖房便座。
【請求項４】
ランプヒータ発熱部を包み込んで分岐設置した電流供給線を温度ヒューズ線とした請求項２または３記載の暖房便座。
【請求項５】
電気絶縁性と耐熱性を有するスペーサーを設け、前記スペーサーにより電流供給線を固定した請求項１〜４記載の暖房便座。
【請求項６】
前記スペーサーは、便座本体と一体に設けた請求項５に記載の暖房便座。
【請求項７】
ランプヒータの便座の着座面方向と反対面にランプヒータからの輻射熱を反射する反射板を有する請求項１〜６のいずれか１項に記載の暖房便座。
【請求項８】
反射板と一体に電流供給線を固定するスペーサーを構成した請求項７記載の暖房便座。
【発明の詳細な説明】
【技術分野】
【０００１】
本発明は便座を短時間で暖房する速温暖房便座のランプヒータ通電時に発生する磁界を抑制する構成に関するものである。
【背景技術】
【０００２】
従来のこの種の暖房便座では、図９に示すように内部に空洞部１０１を持つ便座１０２で空洞部１０１内にＵ字型のランプヒータ１０４を設置し、ランプヒータ１０４からの熱輻射を着座面１０５に伝え、採暖面をすばやく昇温させるというものであった（例えば特許文献１参照）。
【特許文献１】特開２０００−１４５９８号公報
【発明の開示】
【発明が解決しようとする課題】
【０００３】
しかしながら、Ｕ字型のランプヒータ１０４はフィラメント１０６がループを構成し、電流が流れると電線の周りに右ネジの法則に従って電流の進む方向に向かって時計回りの向きに磁界が発生し、大気中を伝搬し、周囲の電気製品に雑音等となって誤作動などの悪影響を与える懸念があった。そしてその影響は、電力が大きくなると一層その影響が顕著になるという傾向にあり、雑音もそれにつれて大きくなっていた。便座面１０５を数秒で暖めるには電力を大きくする必要があり、また放射される磁界は細い線で構成される発熱部周辺で大きくなっていた。
【課題を解決するための手段】
【０００４】
前記従来の課題を解決するために、空洞部を有する便座本体と、前記便座本体に熱エネルギーを供給する一対または複数対のランプヒータを前記空洞部に設置し、前記対となるランプヒータへのそれぞれの電流供給線を互いに近接させて設け、互いの供給線を流れる電流の方向を、電流が作り出す磁界を打ち消しあう方向としたものである。
【０００５】
この構成によって、ランプヒータの発熱部であるフィラメントに流れる電流は、その近傍に設けられた対になるランプヒータへの電流供給線と逆方向になり、電流によって発生する磁界は互いに打ち消しあうので、発生する磁界の大きさが抑制される。
【発明の効果】
【０００６】
本発明の暖房便座は、便座内部に設置した対となるランプヒータを流れる電流の方向を互いに周囲に発生する磁界の方向を逆向きにすることによって、周囲に漏洩する磁界の大きさを抑制し、低雑音性と速温性を兼ね備えた暖房便座を実現することを可能としたものである。
【発明を実施するための最良の形態】
【０００７】
第１の発明は、空洞部を有する便座本体と、前記便座本体に熱エネルギーを供給する一対または複数対のランプヒータを前記空洞部に設置し、前記対となるランプヒータへのそれぞれの電流供給線を互いに近接させて設け、互いの供給線を流れる電流の方向を、電流が作り出す磁界を打ち消しあう方向としたものであり、ランプヒータの通電によって発生する磁界を打ち消しあうことができ、低雑音性と速温性を兼ね備えた暖房便座を実現することが可能になる。
【０００８】
第２の発明は、特に第１の発明の、電流供給線は分岐部を備え、前記分岐部は対となるランプヒータの発熱部を包み込むように配設したものであり、主たる雑音の発生源であるヒータ発熱部と逆方向に流れる電流供給線との磁界の相互作用が強く起こるように設置することになり、雑音抑制性能の改善を図ることが可能となる。
【０００９】
第３の発明は、特に第１または第２の発明の、電流供給線を絶縁ガイシで覆ったものであり、電流供給線のガイシによる被覆が、ランプヒータの発熱部を包み込むように分岐して配設した部分を、熱による焼損から防ぐことが可能になる。
【００１０】
第４の発明は、特に第２または３の発明において、分岐設置した電流供給線を温度ヒューズ線としたもので、ランプヒータが高温状態になった時に、分岐した電流供給線の一部を温度ヒューズ遷都しておけば、その部分が溶断するので、異常な昇温や火災を防止できるものである。
【００１１】
第５の発明は、特に第１〜４の発明において、電気絶縁性と耐熱性を有するスペーサーを設けたものであり、このスペーサーによってランプヒータのフィラメントと電流供給線の距離が一定間隔に保たれるので、磁界の抑制効果を長時間安定に保つことが可能になる。なお、このスペーサーは、ランプヒータによる加熱に耐えうる程度の耐熱性も備えたものが望ましい。
【００１２】
第６の発明は、特に第５の発明の、スペーサーは、便座と一体に設けたものである。これにより電流供給線の引き回し位置を規定できることから、磁界抑制効果の安定化を図るための構成が、容易に成型できる。例えば、便座部にスペーサーとしての溝部を設けるだけであれば、成型が容易で、特殊な部品等を増やす必要がない。
【００１３】
第７の発明は、特に第１から第６のいずれか１つの発明の、ランプヒータの便座の着座面方向と反対面にランプヒータからの輻射熱を反射する反射板を有するもので、この反射板により、ランプヒータの熱を着座面方向へ有効に反射して、効率よく暖房できる。
【００１４】
なお、この反射板は、着座面の便座の内側方向へ反射するように、角度を付けて構成するとより、効率よく反射することができる。
【００１５】
第８の発明は、特に第７の発明で反射板を構成する金属板からランプヒータならびに電流供給線のホルダーを反射板切り起こして構成したものであり、ホルダーと反射板の一体化が図れ、取り付け作業の効率化、安価な保持構成の実現が可能となる。
【００１６】
以下、本発明の実施の形態について、図面を参照しながら説明する。なお、この実施の形態によって本発明が限定されるものではない。
【００１７】
（実施の形態１）
図１は本発明の実施の形態１における暖房便座の部分切り欠き構成図である。図１において、対になるランプヒータ１および２はＡＣ１００Ｖ電源より電圧が供給され、ランプヒータ１への電流供給線３は相手のランプヒータ２のそばを通るように設置されている。また反対にランプヒータ２への電流供給線４は相手のランプヒータ１のそばを通るように設置されている。お互いに相手のランプヒータ１、２のそばを通り過ぎてから結線されて外部電源につながっている。またもう一方の電源から分岐した電流供給線５および６は直接ランプヒータ１、２に接続される。
【００１８】
これらのランプヒータ１、２はポリプロピレン等のブラスチックで構成された便座本体７の空洞部８内に設置され、ランプヒータ１、２が通電され、フィラメント９、１０が赤熱することによって便座表面１１が暖められる。
【００１９】
今、右側のランプヒータ２に上から下に向かって電流が流れているとすると、ランプヒータ２の上面での磁界方向は矢印（左向き）１２となる。その瞬間のそばに設置されている電流供給線３には下から上に電流が流れ、その電流供給線３の上での磁界の方向は矢印（右向き）１３となる。ランプヒータ１、２が同じ電気仕様ならば、同一の大きさの電流が流れ、磁界は互いに逆向きになるので打ち消しあうことになり、打ち消されなかった漏洩分だけ観測されることになる。この例のように対になるランプヒータ１、２と供給電流線の位置、電流の方向を設定することにより、発生する低周波（商用周波数）磁界を抑制することができ、周囲の電気器具への雑音影響も抑えることが可能となる。
【００２０】
（実施の形態２）
図２は本発明の実施の形態２における暖房便座の部分切り欠き構成図である。実施の形態１と同様の符号を付したものは同様の動作、作用をするので、説明を省く。実施の形態１との違いは、ランプヒータ１への電流供給線３がランプヒータ２を包み込むように分岐線１４、１５を持ち、ランプヒータ２への電流供給線４がランプヒータ１を包み込むように分岐線１６、１７を持っていることである。本体磁界の抑制効果は、隣接設置された逆方向の電流によって磁界が打ち消しあうことで生まれるものであるが、ランプヒータ１、２は発熱し、ガラス管に包まれているので近接設置が不可能である。従って、電流供給線３、４から分岐線１４、１５、１６、１７を分岐させ、ランプヒータ１、２を包み込むことにより磁気抑制効果を得るものであり、漏洩磁界の一層の低減を図ることが可能となる。
【００２１】
（実施の形態３）
図３は本発明の実施の形態３における暖房便座の構成図である。実施の形態１、２と同様の符号を付したものは同様の機能、作用をもつので、説明を省く。実施の形態１、２との違いはランプヒータ２の周囲に設置された分岐線１４、１５がセラミック製の絶縁ガイシ１８によってランプヒータの熱から守られている点である。またガイシを加工することで分岐線１４、１５の保持を行うことも可能となり、ランプヒータ２との距離を常に一定に保つことが可能となり、磁界抑制効果の安定化を図ることも可能となる。
【００２２】
（実施の形態４）
図４は本発明の実施の形態４における暖房便座の構成図である。実施の形態１〜３と同様の符号を付したものは同様の機能、作用をもつので、説明を省く。実施の形態１〜３との違いはランプヒータ２の周囲に設置された分岐線１４、１５がセラミック製の絶縁ガイシ１８によってランプヒータの熱から守られている点である。この分岐線１４、１５の一部分が共晶ハンダなどの融点の低い金属素材の線材で作成されて温度ヒューズ線２０を構成している。ランプヒータ２が過剰に温度上昇した時は、温度ヒューズ線２０が溶けランプヒータ１への通電を停止させる。また電流供給線３、４も同様に一部温度ヒューズ線２０で構成しても同様の効果を得ることができる。温度ヒューズ線２０が溶断して電流が流れなくなったことを検出して安全に通電を停止する事が可能となる。
【００２３】
次に、図５には、スペーサー１９を用いて分岐線１４、１５を固定したものを示す。１９ａは、スペーサー１９を便座１１に固定するための固定具である。上記実施の形態において、ランプヒータ２の周囲に設置された分岐線１４、１５はここでは便座とは別部材で設けられ、便座に固定された状態のスペーサー１９によってランプヒータ２との距離を規制するように固定され、常にランプヒータ２との距離を一定に保つことが可能となり、磁界抑制効果の安定化を図ることも可能となる。
【００２４】
また、図６には、分岐線１４，１５の固定の別の方法について示す。便座本体７と一体で、その着座面方向とは逆の図面下方に設けられた溝部２１には電流供給線３が配設され、電流供給線３とランプヒータ２との位置関係を規制している。また、電流供給線３、５同士、また電流供給線３、５同士が並行して配設さる場所においても溝を設置し、それぞれの位置関係を規制することにより、磁気抑制効果を得ることが可能となる。
【００２５】
（実施の形態５）
図７は本発明の実施の形態５における暖房便座の構成図で、実施の形態１〜４と同様の符号を付したものは同様の動作、作用をするもので、説明を省略する。便座本体７の着座面と逆の下方面に設けられた反射板２２はランプヒータ２の輻射熱を反射し、便座表面１１の着座面を暖め、また下部への熱の逃げを防いでいる。反射板２２の上にはランプヒータ２および電流供給線３を保持するホルダー２３が設置されている。このホルダー２３は、固定具２３ａによって、反射板２２に固定されている。ホルダー２３によって電流供給線３とランプヒータ２との位置関係が規制され、安定的に磁気抑制効果を保つことが可能となる。なお、この反射板２２は着座面の形状や、設置状況に応じて、着座面を効果的に暖房するために角度を傾斜させて構成してもよい。
【００２６】
図８は本発明の実施の形態５における暖房便座の反射板の別の構成を説明する図である。図７と同様の符号に就いては、同様の機能と作用をもつので、説明を省略する。ここでは、ステンレスあるいはアルミなどの金属製の反射板２２からなる、ランプヒータ２と電流供給線３の保持部を有するホルダー２３が切り起こされている。電流供給線３はホルダー２３で保持されることにより電流供給線３とランプヒータ２との位置関係が規制され、安定的な磁気抑制効果を得ることが可能となる。またホルダー部が反射板２２の切り欠き部２４から切り起こして作成されることで、他の部材やネジなどが必要なく、生産性に富んだ安価な構成が可能となる。
【産業上の利用可能性】
【００２７】
以上のように、本発明にかかる暖房便座は、電流供給線の引き回し構成によって漏洩磁界の低減を図っているので、電熱器具一般の磁界を発生する熱源設計等の用途にもできる。
【図面の簡単な説明】
【００２８】
【図１】本発明の実施の形態１における暖房便座の部分切り欠き構成図
【図２】本発明の実施の形態２における暖房便座の部分切り欠き構成図
【図３】本発明の実施の形態３における暖房便座の構成図
【図４】本発明の実施の形態４における暖房便座の断面図
【図５】本発明の実施の形態４における暖房便座の電流供給線の分岐線の固定の構成図
【図６】本発明の実施の形態４における暖房便座の電流供給線の分岐線の別の固定の構成図
【図７】本発明の実施の形態５における暖房便座の構成図
【図８】本発明の実施の形態５における暖房便座の反射板の構成図
【図９】従来の暖房便座の構成図
【符号の説明】
【００２９】
１、２  ランプヒータ
３、４、５、６  電流供給線
７  便座本体
８  空洞部
１４、１５、１６、１７  分岐線
１８  絶縁ガイシ
１９  スペーサー
２０  温度ヒューズ線
２１  溝部
２２  反射板
２３  ホルダー
２４  切り欠き部
【図１】
2005253565.tif 000003
【図２】
2005253565.tif 000004
【図３】
2005253565.tif 000005
【図４】
2005253565.tif 000006
【図５】
2005253565.tif 000007
【図６】
2005253565.tif 000008
【図７】
2005253565.tif 000009
【図８】
2005253565.tif 000010
【図９】
2005253565.tif 000011